(57)【要約】      （修正有）【課題】体格の増大を防止しながら、曲面状の型枠と安定した当接が確保でき、かつ鉄筋群との係合力を大きくすることが可能な鉄筋保持具を提供する。【解決手段】保持具本体２は、幅方向（鉄筋と直交方向）に台形、厚さ方向（鉄筋方向）に逆台形状を呈する略四角錐台状の外形を有し、後端面６は厚さ方向が長い矩形状であり複数のフック金具３が厚さ方向に配列されている。フック金具３は鉄筋に嵌め込まれて鉄筋方向の係合力を維持する。先端面４には脚部５より４つのエッジ５１〜５４が突設されており、幅方向のエッジ５１、５３とエッジ５２、５４との間のスパンは大きく、厚さ方向のエッジ５１、５２とエッジ５３、５４との間のスパンは小さくしている。【選択図】図１
0003208428.tif 000002
【実用新案登録請求の範囲】
【請求項１】
略四角錐台形状の保持具本体と、この保持具本体の先端面の４隅のそれぞれに突出して形成された先後方向の４つのエッジと、この４つのエッジ間に形成された先端空間と、前記保持具本体の後端面に固定されたフック金具からなる鉄筋保持具であって、
前記先端面は、前記フック金具が保持する鉄筋と直交する幅方向が、前記後端面の幅方向より大きい、台形に設定されていることを特徴とする鉄筋保持具。
【請求項２】
請求項１に記載の鉄筋保持具において、前記先端面は、前記フック金具が鉄筋方向である厚さ方向が、前記後端面の厚さ方向より小さい、逆台形に設定されていることを特徴とする鉄筋保持具。
【請求項３】
請求項１〜請求項３のいずれか１に記載の鉄筋保持具において、前記先端面は前記後端面に対し、厚さ方向に３０パーセント以上、１００パーセント以下の範囲で大きく設定されし、幅方向に１０パーセント以上、３０パーセント以下の範囲で小さく設定されていることを特徴とする鉄筋保持具。
【請求項４】
請求項１〜請求項３のいずれか１に記載の鉄筋保持具において、前記逆台形を構成する側面に、前記４つのエッジ間の空間に連なる溝を形成したことを特徴とする鉄筋保持具。
【考案の詳細な説明】
【技術分野】
【０００１】
本考案は、コンクリートの打設において、型枠と鉄筋との間隔を保持する鉄筋保持具に関する。
【背景技術】
【０００２】
一般に鉄筋コンクリート構造物を型枠を使って成形する場合、まず鉄筋同士を組み立て所定形状に配筋してのち、型枠を四方から枠組みする。次に型枠内面と型枠内面に最も近い鉄筋群の随所に鉄筋保持具を装着して、型枠内面と鉄筋群の最外面との距離を適正に確保する工法が採用されている。これは、コンクリートの打設作業において、型枠の内面と鉄筋群との距離を規定どおりに保つためである。この鉄筋保持具の使用により、コンクリート構造物の鉄筋のかぶりが適正に形成される。
【０００３】
この鉄筋保持具は、実用新案登録第３１６３３３６号に記載のように、モルタル製で四角錐台形の保持具本体と、型枠に当接するその一端面の４隅のそれぞれに突出させた４つのエッジと、鉄筋に係合するその他端面に固定したフック金具とからなる構造のものが提案されている。フック金具は、釣り針状のピンを対向的に配して一対とし、複数対を他端面に列状に固定した構造を有する。この鉄筋保持具は、鉄筋をフック金具に嵌め込むようにして鉄筋に装着され、４つのエッジは型枠の内面に当接して設置される。
【０００４】
実用新案登録第３１６３３３６号に開示される保持具本体は、フック金具を固定した他端面が、４つのエッジを突出した一端面より大きい四角錐台形を呈している。つまり先端が先細りの形状となっているため、一端面の４隅に突設した４つのエッジの間の距離が小さい。これは以下の要請による。
【０００５】
イ、異物となり得るモルタル製あるは樹脂製などの保持具本体の容積はできるだけ小さくしたい。
ロ、他端面を大きくすると大きいフック金具が固定でき、鉄筋との係合力が大きくできる。
ハ、コンクリート構造物の表面に露出する４つのエッジの先端面をできるだけ目立たないようにする。
【先行技術文献】
【特許文献】
【０００６】
【特許文献１】実用新案登録第３１６３３３６号公報
【考案の概要】
【考案が解決しようとする課題】
【０００７】
しかし、従来の構成では、４つのエッジが型枠の内面に当接して確保できる４点間の矩形面積が小さく、型枠の内面への当接する際の安定性が悪い。特に、型枠の内面が凸曲面の場合には、鉄筋保持具が回動し易く、正常な４点接触が損なわれる問題がある。この正常な４点接触が損なわれると、保持具本体が傾き、型枠の内面と鉄筋群との距離が正確に保てなくなる。
【０００８】
なお、逆に四角錐台形の保持具本体の一端面を他端面より大きくすると、保持具本体の体格が大きくなる。保持具本体は、材質的にはコンクリートに似ているが、硬化の時期が異なり、コンクリート内に残る異物としての鉄筋保持具の悪影響が大きくなる。
【０００９】
本考案の目的は、保持具本体の体格の増大を防止しながら、曲面状の型枠と安定した当接が確保でき、かつ大きいフック金具により鉄筋群との係合力を大きくすることが可能な鉄筋保持具の提供にある。
【課題を解決するための手段】
【００１０】
（請求項１について）
略四角錐台状の保持具本体と、この保持具本体の先端面の４隅のそれぞれに突起ないし膨出された４つのエッジと、この４つのエッジ間に形成された先端空間と、保持具本体の他端面に固定されたフック金具からなる鉄筋保持具であって、
保持具本体は、フック金具が鉄筋を保持する方向（鉄筋方向）と直交する方向（幅方向）に台形に形成され、先端面の幅が後端面の幅より大きく設定されている。
【００１１】
これにより、型枠の内面に当接する４つのエッジの間の鉄筋に直交する方向のスパンを大きくできる。この結果、型枠内面が湾曲してる場合であっても、良好な当接安定性が確実に得られる。
また、保持具本体の全体を台形に形成した場合に比べ、体格の増大を抑制できる。
【００１２】
さらに、フックを固定する後端面は鉄筋方向（厚さ方向）の長さを確保しているので、後端面の厚さ方向に多数ないし大きなフック金具を固定できる。このため、鉄筋保持具は、多数のないし大きなフック金具によって係合力が増強でき、鉄筋方向にも安定する。これにより、係合している鉄筋に対し変位することが防止できる。
【００１３】
（請求項２について）
保持具本体を厚さ方向に、逆台形に形成し、４つのエッジの間の距離（スパン）の内、鉄筋方向（厚さ方向）の距離を選択的に小さくしている。
【００１４】
これにより、保持具本体の体格を小さくでき、保持具本体の大型化の防止と、成型後にコンクリートの表面に出るエッジの先端を目立たなくすることができる。
【００１５】
（請求項３について）
鉄筋と直交方向の保持具本体の（逆台形を構成する）側面に、４つのエッジ間に形成される先端空間に滑らかに連なる溝を形成した。
【００１６】
この溝を通じて、コンクリートの打設時にスラリーがスムーズに先端空間に流入することが可能になり、コンクリート構造物の表面が、きれいに成型できる。
【図面の簡単な説明】
【００１７】
【図１】本考案の鉄筋保持具の外観を示す斜視図である（実施例１）。
【図２】本考案の鉄筋保持具の構成を示し、（ａ）平面図、（ｂ）正面図、（ｃ）側面図、（ｄ）底面図である。
【図３】本考案の鉄筋保持具を、鉄筋と凸曲面の型枠間に装着した組付図であり、（ａ）平面図、（ｂ）正面図、（ｃ）側面図である。
【考案を実施するための形態】
【００１８】
上記の目的を達成するため、この考案では、つぎの構成を採用した。
（１）鉄筋保持具を取り付ける鉄筋と直交する方向（幅方向）の保持具本体を台形にする。
（２）鉄筋保持具を取り付ける鉄筋と同方向（厚さ方向）の保持具本体を逆台形にする。
（３）逆台形を構成する側面に４つのエッジ間に形成される先端空間に滑らかに連なる溝を形成する。
つぎに、本考案の一実施例を図に基づいて説明する。
【実施例１】
【００１９】
図１、図２に示すように、鉄筋保持具１は、セメントモルタル製の保持具本体２と、鉄筋に係合するフック金具３とを備えている。保持具本体２の先端（図示下端）面４には、４隅のそれぞれに４つのエッジ５１、５２、５３、５４が突設されている。フック金具３は、保持具本体２の後端（図示上端）面６に固定されており、この実施例では、釣り針状のピン３１を対向的に４対列設した構成を有する。
【００２０】
なお、フック金具３は、釣り針状のピン３１を対向的に２対または３対列設した構成であってもよく、５対以上列設した構成であってもよい。また、断面が釣り針形状の板バネを対向的に２対以上列設した構成であってもよい。
【００２１】
保持具本体２は、略四角錐台状を呈し、後端面６は正方形に近い矩形状であり、先端面４が長方形の矩形状である。後端面６の中心には、フック金具３の各対のピン３１、３１の間を通して、鉄筋が当接する断面が円弧の浅い縦溝６１が形成されている。図３に示す如く、各対のピン３１、３１の間には、鉄筋８が嵌め込まれ、縦溝６１とピン３１、３１の先端との間で固定される。矩形状の後端面６が鉄筋方向に長いと、鉄筋方向の係合力が大きくでき、鉄筋保持具１の安定性が増大する。
【００２２】
保持具本体２は、幅方向（鉄筋と直交方向）に台形となっており、左右の側面２１、２２との間は、後端面６から先端面４に向かって厚さが漸増している。後端面６は、幅方向が３５ｍｍ、厚さ方向が４０ｍｍのやや厚さ方向が長い略正方形となっている。先端面４は、幅方向が５０ｍｍ、厚さ方向が３５ｍｍの幅方向に長い長方形となっている。保持具本体２の高さは５５ｍｍとなっている。
【００２３】
この実施例では、先端面４は後端面６に対し幅方向が約４２パーセント大きく設定され、厚さ方向が１２．５パーセント小さくなっている。保持具本体２の幅方向（左右）の側面２３、２４は、逆台形となっており、厚さ方向（前後）の側面２３、２４との間は、後端面６から先端面４に向かって厚さ漸減している。すなわち、左右の側面２１、２２は台形面、前後の側面２３、２４は逆台形面となっている。
【００２４】
先端面４は後端面６に対し、幅方向に３０パーセント以上、１００パーセント以下の範囲で大きく設定し、厚さ方向に１０パーセント以上、３０パーセント以下の範囲で小さく設定することが強度および製造の観点から実用的である。これは、保持具本体２の高さが７０ｍｍ〜８０ｍｍの大型の鉄筋保持具においても同様である。
【００２５】
先端（図示下端）面４には、４つのエッジ５１〜５４を有する脚部５が保持具本体２を延長して形成されている。脚部５は、先端面４から延長されたベース部５０とその４隅の滑らかに突設された４つのエッジ５１〜５４からなる。脚部５の両側面５５、５６は、５０ｍｍ×３５ｍｍの先端面４から逆台形状に延長され、内側に傾斜した傾斜面となっている。
【００２６】
４つのエッジ５１〜５４は、先端（下端）面４の脚部５０の４隅から滑らかに突出して形成され、中間部の直径が１０ｍｍの円柱状ないし円錐状を呈している。４つのエッジ５１〜５４の間の空間は、コンクリートが流入して充填される先端空間７となっている。脚部５０の中央は、先端面４から距離が８ｍｍに設定されている。エッジ５１〜５４の内の左右に位置するエッジ５１、５３と、エッジ５２、５４とは、３５ｍｍの間隔、前後に位置するエッジ５１、５２と、エッジ５３、５４とは２０ｍｍの間隔に設定されている。
【００２７】
この結果、エッジ５１、５３と、エッジ５２、５４との間に形成された前後のアーチ７１、７２は大きく、エッジ５１、５２と、エッジ５３、５４との間に形成された左右のアーチ７３、７４は小さくなっている。
【００２８】
前後の側面２３、２４には、中央部からアーチ７１、７２に連なる溝７５、７６が形成されている。溝７５、７６は、コンクリートを打設する際に、コンクリート先端空間７に円滑にコンクリートを流入させる作用を有する。
【００２９】
保持具本体２は、セメントモルタルを型に充填して製造される。この型を抜く作業において、上記の台形、逆台形の組み合わせが好適である。
フック金具３は、ピアノ線などの鉄線を略２の字形に曲げ、下部を硬化前にモルタル製保持具本体２の後端面６に埋設して、各対のピン３１を形成した構造を有する。
【００３０】
次に、上記の鉄筋保持具１を鉄筋８と型枠９との間に装着する作業について説明する。鉄筋群の最外側に位置する鉄筋８の所定の個所に、フック金具３を平行に当て押しつけてピン３１、３１の間に鉄筋８を嵌め込む。その後、四方から型枠９を組み付け、鉄筋保持具１が傾くことなく型枠９に当接し、隙間が生じない状態で両型枠を共締め（締結）する。
【００３１】
図３（ｂ）に示すように型枠９が凸曲面であった場合でも、互いのエッジ間のスパンは大きく設定されているので、鉄筋保持具１は、安定的に型枠９に当接する。仮に、若干の隙間やガタが存在しても、４つのエッジが凸曲面を乗り越えて回動することはない。
【産業上の利用可能性】
【００３２】
この考案の鉄筋保持具は、保持具本体の鉄筋と直行する方向（幅方向）を台形に形成し先端面の幅を選択的に大きくして、型枠との当接安定性を増大させている。このため、型枠の湾曲面など安定性の悪い場所にも確実に鉄筋保持具を設置できる。
【符号の説明】
【００３３】
１          鉄筋保持具
２          保持具本体
３          フック金具
４          保持具本体の先端面
５          保持具本体の脚部
５１〜５４  エッジ
６          保持具本体の後端面
７          先端空間
８          鉄筋
９          型枠
【図１】
0003208428.tif 000003
【図２】
0003208428.tif 000004
【図３】
0003208428.tif 000005
【手続補正書】
【提出日】平成28年11月9日(2016.11.9)
【手続補正１】
【補正対象書類名】実用新案登録請求の範囲
【補正対象項目名】全文
【補正方法】変更
【補正の内容】
【実用新案登録請求の範囲】
【請求項１】
略四角錐台形状の保持具本体と、この保持具本体の先端面の４隅のそれぞれに突出して形成された先後方向の４つのエッジと、この４つのエッジ間に形成された先端空間と、前記保持具本体の後端面に固定されたフック金具からなる鉄筋保持具であって、
前記先端面は、前記フック金具が保持する鉄筋と直交する幅方向が、前記後端面の幅方向より大きい、台形に設定されていることを特徴とする鉄筋保持具。
【請求項２】
請求項１に記載の鉄筋保持具において、前記先端面は、前記フック金具が保持する鉄筋の方向である厚さ方向が、前記後端面の厚さ方向より小さい、逆台形に設定されていることを特徴とする鉄筋保持具。
【請求項３】
請求項１〜請求項２のいずれか１に記載の鉄筋保持具において、前記先端面は、前記後端面に対し、幅方向に３０パーセント以上、１００パーセント以下の範囲で大きく設定されし、厚さ方向に１０パーセント以上、３０パーセント以下の範囲で小さく設定されていることを特徴とする鉄筋保持具。
【請求項４】
請求項２〜請求項３のいずれか１に記載の鉄筋保持具において、前記鉄筋方向と直交方向の保持具本体の側面に、前記４つのエッジ間の空間に連なる溝を形成したことを特徴とする鉄筋保持具。